【事件の表示】
　特許第２９６３５４４号「眼科撮影装置」の請求項１ないし２に係る特許に対する特許異議の申立てについて、次のとおり決定する。
【結　論】
　訂正を認める。
　特許第２９６３５４４号の請求項１ないし２に係る特許を取り消す。
【理　由】
１．手続の経緯
　特許第２９６３５４４号の請求項１ないし２に係る発明についての出願は、平成２年１２月２８日に特許出願され、平成１１年８月６日にその発明について特許権の設定登録がなされ、その後、その特許について、異議申立人金子和弘により特許異議の申立てがなされ、平成１２年７月４日に取消しの理由が通知され、その指定期間内である平成１２年９月１８日に訂正請求がなされたものである。
　
２．訂正の適否についての判断
（１）訂正の内容
ア．訂正事項ａ
　特許請求の範囲の請求項１の記載について、「３個の撮像素子を有する３板式カラーカメラを撮像手段とする眼科撮影装置において、撮像画像の所定の領域ごとに該領域に特有の補正係数を記憶した記憶手段と、該記憶手段に記憶された補正係数により前記各撮像素子から出力される映像信号を補正する補正手段と、該補正手段により補正された映像信号を再生する再生手段とを備えたことを特徴とする眼科撮影装置。」とあるのを、「３個の撮像素子を有する３板式カラーカメラを撮像手段とする眼科撮影装置において、撮像画像の所定の領域ごとに該領域に特有の補正係数を
予め
イ．訂正事項ｂ
　明細書【０００９】段落（特許公報第２頁第３欄第４０〜４８行）の記載について、「本発明に係わる眼科撮影装置の特徴は、上記の目的を達成するため、３個の撮像素子を有する３板式カラーカメラを撮像手段とする眼科撮影装置において、撮像画像の所定の領域ごとに該領域に特有の補正係数を記憶した記憶手段と、該記憶手段に記憶された補正係数により前記各撮像素子から出力される映像信号を補正する補正手段と、該補正手段により補正された映像信号を再生する再生手段とを備えたことを特徴とする。」とあるのを、「本発明に係わる眼科撮影装置の特徴は、上記の目的を達成するため、３個の撮像素子を有する３板式カラーカメラを撮像手段とする眼科撮影装置において、撮像画像の所定の領域ごとに該領域に特有の補正係数を
予め
（２）訂正の目的の適否、新規事項の有無及び拡張・変更の存否
ア．上記訂正事項ａについて
　特許請求の範囲の請求項１に記載された「記憶手段」の内容について、補正係数の記憶が「予め」であることを特定して特許請求の範囲を減縮しようとするものである。
　前記補正係数の記憶が「予め」であることは、願書に添附された明細書の段落【００１６】（特許公報第２頁第４欄第３１〜３３行）の「メモリ115には、撮像画面を図２の201〜205のように各領域に分割して該分割領域ごとにまた各色信号ごとに補正係数が予め記憶されている。」との記載によって明瞭に示されているから、特許請求の範囲の減縮を目的とした明細書の訂正に該当し、新規事項の追加に該当せず、実質的に特許請求の範囲を拡張又は変更するものではない。
イ．上記訂正事項ｂについて
　上記訂正事項ｂは、上記訂正事項ａと整合を図るものであるから、明瞭でない記載の釈明を目的とした明細書の訂正に該当し、新規事項の追加に該当せず、実質的に特許請求の範囲を拡張又は変更するものではない。
（３）むすび
　したがって、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
（１）本件の請求項１ないし２に係る発明
　上記２．で示したように上記訂正が認められるから、本件の請求項１ないし２に係る発明は、上記訂正に係る訂正明細書の特許請求の範囲の請求項１ないし２に記載された次のとおりのものである。
【請求項１】「３個の撮像素子を有する３板式カラーカメラを撮像手段とする眼科撮影装置において、撮像画像の所定の領域ごとに該領域に特有の補正係数を予め記憶した記憶手段と、該記憶手段に記憶された補正係数により前記各撮像素子から出力される映像信号を補正する補正手段と、該補正手段により補正された映像信号を再生する再生手段とを備えたことを特徴とする眼科撮影装置。」
【請求項２】「補正手段は、各撮像素子から出力される映像信号に補正係数を乗算する乗算手段である請求項１記載の眼科撮影装置。」
（２）引用刊行物に記載された発明
　当審が平成１２年７月４日付けで通知した取消しの理由で引用した刊行物は以下のとおりである。
刊行物１．特開昭６３−２９４０７６号公報（申立人の提出した甲第１号証）
刊行物２．特開昭６２−９４１３４号公報（申立人の提出した甲第２号証）
刊行物３．特開昭６３−２７６９９２号公報（申立人の提出した甲第３号証）
刊行物４．特開昭６０−８０３７４号公報（申立人の提出した甲第４号証）
刊行物５．特開昭６０−９６０６５号公報
ア．上記刊行物１には、「シェーディング補正装置」（発明の名称）に関し、「シェーディングは一般民生用のテレビジョンカメラにおいては若干許容される面もあるが、放送用においてはその使用が厳しく、その補正は非常に重要な問題点となっていた。」（２頁左下欄１４〜１７行）こと、「第１図は本発明の第１の実施例におけるシェーディング補正装置のブロック図を示すものである。第１図において、１は被写体の光学情報を撮像素子の撮像面上に結像させる光学レンズ、２は前記被写体の光学情報を電気信号に変換する撮像素子、３は前記撮像素子２の出力信号を増幅する前置増幅器、４は同期信号、ブランキング信号等を発生する同期信号発生器、５は撮像素子２を駆動する撮像素子駆動回路、６は前置増幅器３の出力信号とシェーディング補正信号とを乗算する掛算器、７は掛算器６の出力信号にガンマ処理、ブランキング処理等をして標準テレビジョン信号にするプロセス回路、８は前置増幅器３の出力信号をディジタル信号に変換するＡ／Ｄ変換器、９は画面を第２図に示すように水平走査方向、垂直走査方向に分割し、各分割された領域内のＡ／Ｄ変換器８でディジタル化された信号レベルの平均値を算出する分割・平均化回路、１０は各領域の信号レベルの平均値を記憶する記憶回路、１１は記憶した平均値のピーク値を検出するピーク値検出回路、１２は前記検出したピーク値を保持する保持回路、１３は前記保持したピーク値を記憶回路１０に記憶した各領域の平均値で除す割算器、１４は前記差分結果をアナログ信号に変換しシェーディング補正信号とするＤ／Ａ変換器、１５は同期信号発生器の信号をもとにタイミング信号を発生するタイミング信号発生器である。」（２頁右下欄１３行〜３頁左上欄１９行）こと、「今、面照度が均一な被写体を撮像したにもかかわらず、レンズ１などの影響により前置増幅器３の出力信号に例えば水平方向に第３図（１）に示すようなシェーディングを発生したとする。分割・平均化回路９はＡ／Ｄ変換器８でディジタル化された前置増幅器３の出力信号を、同図（２）に示すように水平方向に分割し、分割した領域信号の平均値のディジタル値を出力する。これが記憶回路１０に記憶される。保持回路１２は同図（３）に示すようなピーク値検出回路１１で検出した各領域の平均値のピーク値のディジタル値を保持する。この信号は最もシェーディングの影響を受けていない信号となる。この信号と記憶回路１０で記憶した各領域の平均値との比率を割算器１３で算出し、算出結果をＤ／Ａ変換器でアナログ信号に変換してシェーディング補正信号とする。この補正信号Ｘcompは、保持回路１２で保持したピーク値をＸpeak、あるブロックの平均信号をＸmeanとすると、
　　　Ｘcomp＝Ｘpeak／Ｘmeanとなり、同図（４）に示すような波形となり、基準における値を例えば１となるようにする。
　このシェーディング補正信号と前置増幅器３の信号を掛算器６で乗算すると、その出力Ｘ０は、前置増幅器３の出力信号をＸsig、保持回路１２で保持したピーク値をＸpeakとすると、
　　　Ｘsig＝Ｘpeak・（Ｘsig／Ｘmean）
となる。ところで、ＸmeanはＸsigを分割した領域の平均値であるから、分割領域をある程度小さくすると、その差は小さくなり、
　　　Ｘsig／Ｘmean≒１
となる。従って、
　　　Ｘsig≒Ｘpeakとなり、シェーディングは第３図（５）に示すようにほぼ補正される。分割する領域数を多くすると補正の精度は飛躍的に向上する。垂直走査方向にも同様に動作する。
　以上のように本実施例によれば、均一な被写体を撮像してレンズ等で発生するシェーディングを含んだ信号の分割された領域の平均値を記憶し、そのピーク値を検出・保持することにより、簡単にシェーディング補正信号の発生ができ且つ高精度に補正できる。そして、その時の各領域の平均値を記憶回路１０に記憶することにより常に安定に動作する。しかも、レンズ等が変わってシェーディングの状態が変化しても、再度均一な被写体を撮像して記憶回路１０の記憶内容を変更することによって簡単に対応できる。また、各分割領域単位で最適なシェーディング補正値でシェーディングを補正するのでシェーディングの波形が如何なる形でも対応できる。」（３頁右上欄２行〜同頁右下欄１２行）こと、「なお、各実施例はプロセス回路がアナログ処理のテレビジョンカメラにおけるシェーディング補正装置について述べたが、前置増幅器３以降の信号をディジタル化したシステムにおいても同様な効果が得られることは言うまでもなく、この場合、第１の実施例ではＡ／Ｄ変換器８が不要になる。
　また、分割・平均化回路で信号を分割してその平均値を求めたが、他の代表値を求めるようなものでもよい。」（４頁左下欄２０行〜同頁右下欄８行）ことが記載されている。
イ．上記刊行物２には、「無散瞳眼底カメラ」（発明の名称）に関し、「記録画像をより良いものとするために３管式カラーテレビカメラを用いることも有力である。この場合の構成は第５図に示すように、各チャンネルの撮像管３１Ｒ、３１Ｇ、３１Ｂの前に分光プリズム３６が配置される。そして、分光プリズム３６の特性は、第６図の特性図に例示するように分光し得るものを用いればよい。」（４頁右上欄８〜１５行）こと、「モノクロモニタテレビをカラーテレビカメラとし、記録画像を再生する機能を設ければ、記録画像を即時に確認することができるようになる。」（４頁左下欄１〜４行）ことが記載されている。
ウ．上記刊行物３には、「カラー固体撮像装置」（発明の名称）に関し、「放送局用やＥＮＧ用として使用される業務用カラーカメラは、従来、撮像管を三本用いて色分解を行う三管式と呼ばれる方式のものが多い。」（第１頁右下欄１〜３行）こと、「さて第５図の従来例における、ダイクロイックミラー３，４は真空蒸着による光学多層膜によって作られ、その分光特性の例を第３図，第４図に各々示す。第３図は青反射の特性であり、第４図は赤反射の特性である。これによってＲＧＢ色分解が行えるが、図に示すようにこれら光学多層膜の分光特性は、光の入射角度（図中、４８°，３８°，２８°）によって特性が変化するという、いわゆる入射角度依存性を原理的に有している。そのために画面の中央部と周辺部とで色調が若干変化するといった色シェーディングの発生があることは、色分解プリズム２の問題として周知である。」（１頁右下欄１８行〜２頁左上欄９行）こと、「色シェーディングは第２図の矢印Ａ方向により強く現れる。」（２頁左上欄１７〜１８行）こと、「第１図は本発明のカラー固体撮像装置における色分解光学ユニットを示す断面図であり、図において３０はプリズム部材３０Ａ，３０Ｂ，３０Ｃから成る色分解プリズム、３１は結像レンズ系を通った光束の光軸、３２，３３，３４は色分解された光束の光軸、３５，３６，３７は色分解プリズム３０に装着される固体撮像素子である。・・・各々の映像信号回路３９，４０，４１は各々水平走査色補正回路４２，４３，４４を有しており、色分解プリズム３０によって発生する色シェーディングを水平走査毎に補正する機能を持たせる。」（２頁左下欄９行〜同頁右下欄９行）ことが記載されている。
エ．上記刊行物４には、「テレビジョンカメラ装置の撮像特性補正方法」（発明の名称）に関し、「・・・ズーム比・・・シェーディング，フォーカストラッキング等各撮像特性のずれを既存の各補正手段でそれぞれ補正し，・・・」（３頁右上欄１６行〜同頁右下欄８行）と記載されている。
オ．上記刊行物５には、「シェーディング歪み補正装置」（発明の名称）に関し、「外部から入力されるアナログ画信号をディジタル画信号に変換し出力するＡ／Ｄ変換手段と、補正係数データを記憶する記憶手段と、上記Ａ／Ｄ変換手段より出力されるディジタル画信号と上記記憶手段より読み出される補正係数データとの特定の演算を行いシェーディング歪み補正を施したディジタル画信号を出力するディジタル演算手段とから成る処理系を２系統以上有するとともに、選択手段を有し、上記各処理系を相互に異なったタイミングで並列的に動作させ、上記各処理系から出力されるディジタル画信号を上記選択手段により選択的に外部へ出力するようにして成るシェーディング歪み補正装置。」（第１頁特許請求の範囲）であり、「第１図は本発明の一実施例によるシェーディング歪み補正装置の概略ブロック図であり、スキャナの概略構成も同時に示している。この図において、１はスキャナであり、２はシェーディング歪み補正装置である。」（２頁右上欄８〜１２行）こと、「このシェーディング歪み補正装置２は処理系を２系統備えており、第１の処理系はＡ／Ｄ変換器１１Ａ、乗算器１２Ａ、ＲＯＭ１３ＡおよびＲＡＭ１４Ａから成り、第２の処理系はＡ／Ｄ変換器１１Ｂ、乗算器１２Ｂ、ＲＯＭ１３ＢおよびＲＡＭ１４Ｂから成る。シェーディング歪み補正装置２はさらに、インバータ１５とマルチプレクサ１６を有する。」（２頁左下欄７〜１４行）こと、「ＲＯＭ１３Ａ，１３Ｂは後述のトレーニングモード期間に動作するもので、入力されるディジタル画信号Ｂａ，Ｂｂで指定されるアドレスより、次の式で決まる補正係数Ｍを出力する。
　Ｖｉｎ×Ｍ／２ｎ＝Ｋ　　・・・・・（１）
　ここで、Ｖｉｎはディジタル画信号ＢａまたはＢｂの値（アナログ画信号のレベル）、ｎは量子化ビット数、Ｋは定数である。この定数Ｋはシェーディング歪み補正範囲の下限値に相当する。
　ＲＡＭ１４Ａ，１４Ｂはトレーニングモード期間は書き込みモードで動作し、ＲＯＭ１３Ａ，１３Ｂから出力される補正係数データをアドレス信号Ｄａ，Ｄｂで指定されるアドレスに記憶する。後述のスキャンモードの期間においては、ＲＡＭ１４Ａ，１４Ｂは読み出しモードで動作し、アドレス信号Ｄａ，Ｄｂで指定されるアドレスから補正係数を出力する。
　乗算器１２Ａは、クロックＣａの立ち下がりエッジでディジタル画信号ＢａおよびＲＡＭ１４Ａから出力される補正係数をラッチし、両者の乗算を実行し、その結果つまりシェーディング歪み補正後のディジタル画信号ＥａをクロックＣａの立ち下がりエッジで出力する。他方の乗算器１２Ｂも同様に、クロックＣｂの立ち下がりエッジでディジタル画信号Ｂｂと補正係数をラッチし、シェーディング歪み補正後のディジタル画信号ＥｂをクロックＣｂの立ち下がりエッジで出力する。」（２頁右下欄９行〜３頁左上欄１５行）こと、「次に、本シェーディング歪み補正装置２の全体的動作を説明する。原稿４の読取走査に先立って、白基準板５の読取走査がスキャナ１で行われ、白基準板５の反射率に比例したレベルのアナログ画信号Ａがシェーディング歪み補正装置２に入力される。この時は、シェーディング歪み補正装置２はトレーニングモードで動作し、ＲＯＭ１３Ａ，１３Ｂから出力される補正係数がＲＡＭ１４Ａ，１４Ｂに記憶される。」（３頁左上欄２０行〜同頁右上欄８行）こと、「偶数番号の画素に対する補正係数は第１の処理系のＲＡＭ１４Ａに、奇数番号の画素に対する補正係数は第２の処理系のＲＡＭ１４Ｂにそれぞれ記憶される（奇偶を逆にしてもよい）。なお、アドレス信号Ｄａ，ＤｂはクロックＣａ，Ｃｂと同期して更新される。」（３頁右上欄１２〜１７行）こと、「１ライン分の補正係数が蓄積されると、トレーニングモードを終了し、通常の原稿読取を行うスキャンモードに切り替わる。スキャナ１の読取位置に原稿４が搬送され、原稿面の反射率に比例したレベルのアナログ画信号Ａがシェーディング歪み補正装置２に入力される。
　このモードにおいてはＲＡＭ１４Ａ，１４Ｂは読み出しモードで動作する。第１の処理系においては、偶数番号画素に対するディジタル画信号ＢａとＲＡＭ１４Ａから出力される対応の補正係数との乗算が乗算器１２Ａで実行される。第２の処理系においては、奇数番号画素に対するディジタル画信号ＢｂとＲＡＭ１４Ｂから出力される対応の補正係数との乗算が乗算器１２Ｂで実行される。マルチプレクサ１６はクロックＣａの半周期毎にディジタル画信号Ｅａ，Ｅｂを交互に選択し、アナログ画信号Ａと同周期の補正後のディジタル画信号Ｆを出力する。」（３頁左下欄４行〜同頁右下欄１行）ことが記載されている。
（３）対比・判断
ア．本件請求項１に係る発明について
　本件請求項１に係る発明と刊行物１に記載の発明とを対比すると、刊行物１に記載の撮像素子２は、本件請求項１に係る発明の撮像素子に相当し、刊行物１に記載のテレビジョンカメラは、本件請求項１に係る発明の撮影手段に相当し、刊行物１に記載の第２図に示すように水平走査方向、垂直走査方向に分割した画面部分は本件請求項１に係る発明の撮像画像の所定の領域に相当し、刊行物１に記載のシェーディング補正信号は、本件請求項１に係る発明の撮像画像の所定の領域に特有の補正係数に相当し、刊行物１に記載の掛算器６は、本件請求項１に係る発明の補正手段に相当し、刊行物１に記載のプロセス回路７は、本件請求項１に係る発明の再生手段にそれぞれ相当する。
　すると、両者は、「撮像素子を有するカメラを撮像手段とする撮影装置において、撮像画像の所定の領域ごとに該領域に特有の補正係数により前記撮像素子から出力される映像信号を補正する補正手段と、該補正手段により補正された映像信号を再生する再生手段とを備えたことを特徴とする撮影装置。」において一致し、次の２点で相違する。
相違点１：本件請求項１に係る発明は撮像手段として３個の撮像素子を有する３板式カラーカメラを用いる眼科撮影装置であり、補正手段が各撮像素子から出力される映像信号を補正するのに対して、刊行物１に記載の発明は撮像素子を有するテレビジョンカメラを用いる撮影装置であり、補正手段が撮像素子から出力される映像信号を補正する点
相違点２：本件請求項１に係る発明は補正係数を予め記憶した記憶手段を備えているのに対して、刊行物１に記載の発明は補正係数を演算により求めており、このような記憶手段を備えていない点
　そこで、まず、上記相違点１について検討すると、刊行物２に記載の発明には、３管式カラーテレビカメラを用いた無散瞳眼底カメラが記載されており、この無散瞳眼底カメラは眼科撮影装置に相当するものである。そして、上記３管式カラーテレビカメラは３個の撮像素子部分が３個の撮像管を用いているために本件請求項１に係る発明の固体撮像素子を用いる３板式カラーカメラとは多少異なるが、３板式カラーカメラも、刊行物３に記載のように周知技術である。そして、３管式ないし３板式カラーテレビカメラを用いる撮像装置において、カラーシェーディング現象が生じることは、周知の課題であり、刊行物３には、３個の撮像素子を有する３板式カラーカメラを撮像手段とする撮影装置において、前記各撮像素子から出力される映像信号を補正する補正手段（水平走査色補正回路）が記載されている。
　してみると、刊行物１に記載の撮影装置を、刊行物２に記載のような３個の撮像素子を有するカメラを撮像手段とする眼科撮影装置に代えて、その際に、撮像手段として周知の３板式カラーカメラを採用すること、及び各撮像素子から出力される映像信号を補正するように構成することは、当業者が適宜なし得た程度のことと認められる。
　次に、上記相違点２について検討すると、撮影装置においては、刊行物１、３、４及び５に記載のように、シェーディングを補正することは慣用技術であり、また、上記刊行物５には、シェーディングを補正するために、画素に対する補正係数を記憶手段に記憶することが記載されている。そして、この補正係数の記憶は当然シェーディングを補正する前に予め行われるものである。
　してみると、刊行物１に記載の撮影装置において、演算により補正係数を求めることに代えて、刊行物５に記載のような補正係数を予め記憶した記憶手段を備えることは、当業者が適宜選択できた程度のことと認められる。
イ．本件請求項２に係る発明について
　本件請求項２に係る発明は、本件請求項１に係る発明に従属しており、本件請求項１に係る発明をさらに限定したものである。そして、本件請求項２に係る発明と刊行物１に記載の発明とを対比すると、刊行物１に記載の掛算器６は、本件請求項２に係る発明の乗算手段に相当する。ちなみに、刊行物５に記載の乗算器１２Ａ，１２Ｂも、本件請求項２に係る発明の乗算手段に相当する。
　してみると、本件請求項２に係る発明と刊行物１に記載の発明との相違点は、上記３．（３）ア．の本件請求項１に係る発明と刊行物１に記載の発明との相違点と同様となり、これらの相違点は、上記ア．に述べたように、格別のものではない。
　そして、本件請求項１ないし２に係る発明の作用効果についてみても、刊行物１〜５に記載された発明から当業者が容易に予測しうる範囲をでない。
（むすび）
　以上のとおり、本件請求項１ないし２に係る発明は、その出願前に頒布された上記刊行物１〜５に記載された発明に基づいて当業者が容易に発明をすることができたものであるから、本件請求項１ないし２に係る発明についての特許は、特許法第２９条第２項の規定により特許を受けることができない。
　したがって、本件請求項１ないし２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１３年１月４日（２００１．１．４）
【訂正の要旨】
特許第２９６３５４４号発明の明細書を、本件の平成１２年９月１８日付け訂正請求書に添付された訂正明細書のとおりに、すなわち特許請求の範囲の減縮を目的として下記（１）のとおりに、また、明瞭でない記載の釈明を目的として下記（２）のとおりに訂正する。
（１）特許請求の範囲の請求項１の「３個の撮像素子を有する３板式カラーカメラを撮像手段とする眼科撮影装置において、撮像画像の所定の領域ごとに該領域に特有の補正係数を記憶した記憶手段と、該記憶手段に記憶された補正係数により前記各撮像素子から出力される映像信号を補正する補正手段と、該補正手段により補正された映像信号を再生する再生手段とを備えたことを特徴とする眼科撮影装置。」を「３個の撮像素子を有する３板式カラーカメラを撮像手段とする眼科撮影装置において、撮像画像の所定の領域ごとに該領域に特有の補正係数を
予め
（２）明細書における発明の詳細な説明の欄、明細書【０００９】段落（特許公報第２頁第３欄第４０〜４８行）の「本発明に係わる眼科撮影装置の特徴は、上記の目的を達成するため、３個の撮像素子を有する３板式カラーカメラを撮像手段とする眼科撮影装置において、撮像画像の所定の領域ごとに該領域に特有の補正係数を記憶した記憶手段と、該記憶手段に記憶された補正係数により前記各撮像素子から出力される映像信号を補正する補正手段と、該補正手段により補正された映像信号を再生する再生手段とを備えたことを特徴とする。」を「本発明に係わる眼科撮影装置の特徴は、上記の目的を達成するため、３個の撮像素子を有する３板式カラーカメラを撮像手段とする眼科撮影装置において、撮像画像の所定の領域ごとに該領域に特有の補正係数を
予め
（５４）【発明の名称】
眼科撮影装置
（５７）【特許請求の範囲】
　【請求項１】　３個の撮像素子を有する３板式カラーカメラを撮像手段とする眼科撮影装置において、撮像画像の所定の領域ごとに該領域に特有の補正係数を
予め
　【請求項２】　補正手段は、各撮像素子から出力される映像信号に補正係数を乗算する乗算手段である請求項１記載の眼科撮影装置。
【発明の詳細な説明】
　【０００１】
　【産業上の利用分野】本発明は、カラーシェーディングの発生を避けることのできる眼科撮影装置に関する。
　【０００２】
　【従来の技術】従来から、図６に示すように、３板式の色分解光学系を用いた眼科撮影装置が知られている。その図６において、１は色分解光学系である。この色分解光学系１は３個のプリズム２、３、４を有する。その３個のプリズム２、３、４は互いに張り合わされている。プリズム３と４との間にはわずかな空気層がある。そのプリズム２、３の張り合わせ面には干渉膜５が形成されている。プリズム３、４の張り合わせ面のプリズム４の面の方には干渉膜６が形成されている。この干渉膜５、６はダイクロイックフィルターとしての役割を果たし、この色分解光学系１に入射する光線は、その干渉膜５、６の透過反射特性によって赤（Ｒ）系統、緑（Ｇ）系統、青（Ｂ）系統の光線に分解されて、撮像素子としてのＣＣＤ７、８、９の撮像面に導かれて結像される。ＣＣＤ７、８、９からはその受光量に応じたＲ、Ｇ、Ｂ信号が出力される。
　【０００３】ところが、一般に、その干渉膜５、６は色分解光学系１に入射する光線の干渉膜に対する傾きが変化するとその反射・透過率が変化し、かつ、色分解光学系１に入射する光線の干渉膜に対する傾きが大きくなればなるほど透過率特性が短波長の側にシフトする。
　【０００４】ここで、ＣＣＤ７、８、９の中央に結像される光線による像の出力バランスがとれているとすると、撮影光軸１０に対して斜入射（たとえば、角度θ）でＣＣＤ７、８、９の周辺に結像される周辺部の像は、干渉膜５、６の透過・反射率特性がＣＣＤ７、８、９の中央に像を形成する光線に対する反射・透過率特性とは異なるので、周辺部の像を形成する光線についてはＣＣＤ７、８、９の出力バランスがくずれ、テレビ画面の周辺部に色ムラが現われるといういわゆるカラーシェーディング現象が生じる。
　【０００５】すなわち、主光線について着目すると、干渉膜５、６の主光線に対する傾き角度がＣＣＤ７、８、９の中央部と周辺部とで異なる条件となるからである。
　【０００６】そこで、この３板式の色分解光学系１を有するカラーテレビカメラ等では、カラーシェーディング補正回路を信号処理ユニットに組み込んだり、光学系の倍率、開口絞り等の諸条件から射出瞳の位置を決定し、色分解光学系１に入射する光線のうち主光線の撮影光軸１０に対する入射角度を演算し、この演算値をＲ、Ｇ、Ｂに対応する各ＣＣＤ７、８、９の各画素の補正量として用いて、カラーシェーディング補正を行っている。
　【０００７】
　【発明が解決しようとする課題】しかしながら、前者のカラーテレビカメラは、その信号処理ユニットが大型となると共に、撮影条件を変更する毎に色バランスを再度設定しなければならない不都合がある。一方、後者のカラーテレビカメラは、演算回路を必要とするため、高価になる不都合がある。
　【０００８】そこで、本発明の目的は、簡単な補正手段を設けることにより簡易にカラーシェーディング補正を行うことのできる眼科撮影装置を提供することにある。
　【０００９】
　【課題を解決するための手段】本発明に係わる眼科撮影装置の特徴は、上記の目的を達成するため、３個の撮像素子を有する３板式カラーカメラを撮像手段とする眼科撮影装置において、撮像画像の所定の領域ごとに該領域に特有の補正係数を
予め
　【００１０】また、本発明の眼科撮影装置の補正手段は、各撮像素子から出力される映像信号に補正係数を乗算する乗算手段であることを特徴とする。
　【００１１】
　【作用】本発明係わる眼科撮影装置によれば、撮像画像の所定の領域ごとに該領域に特有の補正係数を記憶せしめ、該補正係数により各撮像素子から出力される映像信号を補正するようにしたので、撮像画像の各領域ごとに映像信号を回路的に補正することができ、簡易な構成でカラーシェーディング現象を避けることができる。
　【００１２】また、補正手段を乗算回路とすれば、補正係数を映像信号に乗算するだけで映像信号のレベルを補正でき、カラーシェーディングのない色バランスのよい再生画像が得られる。
　【００１３】
　【実施例】以下、図面を参照しながら本発明の一実施例を説明する。
　【００１４】図１は本実施例の回路構成を示すブロック図であり、図２は撮像画面を複数の領域に分割して補正係数を設定する状態を示す図である。図３〜図５は本実施例の光学系を示し、図３はその構成を示す図、図４、図５はその作用を説明するための図である。
　【００１５】図１において、１０１〜１０３は撮像素子として用いられるＣＣＤであり、ＣＣＤ１０１〜１０３から出力される映像信号は増幅器１０４〜１０６にそれぞれ入力される。増幅器１０４〜１０６の出力信号は、アナログ信号をデジタル信号に変換するＡ／Ｄ変換器１０７〜１０９に入力される。Ａ／Ｄ変換器の出力信号は、撮像画像の各領域ごとに補正を行う補正回路１１０〜１１２に入力される。撮像画像の各領域ごとの補正係数はメモリ１１５に記憶されており、該メモリ１１５の記憶データは演算制御回路１１４から読み出され、各補正回路１１０〜１１２に供給される。
　【００１６】メモリ１１５には、撮像画面を図２の２０１〜２０５のように各領域に分割して該分割領域ごとにまた各色信号ごとに補正係数が予め記憶されている。即ち、２０１〜２０５の同一色信号に対するそれぞれの画像領域内では補正係数は同一である。
　【００１７】各補正回路１１０〜１１２で補正された映像信号は、デジタル映像信号をアナログ映像信号に変換し、各色信号ごとに合成してフルカラーの映像信号として出力する画像再生回路１１３に入力される。画像再生回路１１３の出力信号はＣＲＴ等のモニタ１１６上に表示される。
　【００１８】なお、図示していないが、演算制御回路１１４からは、ＣＣＤ１０１〜１０３の読み出しクロックパルス、Ａ／Ｄ変換器１０７〜１０９のＡ／Ｄ変換のためのクロックパルス、画像再生回路１１３のＤ／Ａ変換のためのクロックパルス及び映像同期信号等の信号が各回路に供給される。
　【００１９】また、各色信号ごとのカラーシェーディングの大きさがあまり差がないときは、補正回路１１０〜１１２は１個のみとして各色信号を合成した後に補正するようにしてもよい。　次に、本実施例の動作を説明する。
　【００２０】図６の色分解光学系で色分解された各色光はＣＣＤ１０１〜１０３にそれぞれ入射し、該ＣＣＤ１０１〜１０３の各画素ごとに電気ポテンシャルに変換される。このＣＣＤ１０１〜１０３の画素ごとの電気ポテンシャルは演算制御回路１１４から供給されるクロックパルスにより、順次読み出され、増幅器１０４〜１０６でそれぞれ増幅され、Ａ／Ｄ変換器１０７〜１０９でデジタル信号に変換される。
　【００２１】一方、メモリ１１５から撮像画像の各色信号の各領域（図２の２０１から２０５の各領域）ごとの補正係数が演算制御回路１１４により呼び出され補正回路１１０〜１１２に供給され、Ａ／Ｄ変換器１０７〜１０９から出力されるデジタル映像信号が各色信号ごと及び各領域ごとに補正される。
　【００２２】この補正回路として乗算回路を用いた場合は、各色信号の各領域ごとの電圧レベルに補正係数が乗算されて補正されることとなる。
　【００２３】補正回路１０７〜１０９で補正されたデジタル映像信号は、画像再生回路１１３でアナログ信号に変換された後合成され、水平・垂直の各同期信号やカラーバースト信号などが附加されて通常の映像信号とされ、モニタ１１６上に表示される。
　【００２４】補正回路を１個だけ用いた場合は、画像再生回路１１３でデジタル信号のまま各色信号が合成された後、合成色信号として各領域ごとに補正される。
　【００２５】図３〜図６は、本実施例の眼科撮影装置を眼底カメラに取り付けた場合の光学系の一例を表す。
　【００２６】図３において、Ａは照明光学系、Ｂは撮影光学系である。照明光学系Ａは凹面鏡１１、観察照明用のハロゲンランプ１２、リレーレンズ１３、撮影照明用のキセノン管１４、コンデンサーレンズ１５、反射ミラー１６、リング状スリット１７、リレーレンズ１８から大略構成され、照明光は孔空きミラー１９、対物レンズ２０を介して被検眼２１の眼底Ｒに導かれ、眼底Ｒが照明される。
　【００２７】撮影光学系Ｂは合焦レンズ２２、結像レンズ２３、変倍レンズ２４、クイックリターンミラー２５、フィールドレンズ２６、反射ミラー２７、ＴＶ用のリレーレンズ２８、色分解光学系１を有する。孔空きミラー１９、対物レンズ２０は照明光学系Ａと撮影光学系Ｂとに共用されている。クイックリターンミラー２５はフィルム２９に眼底像を結像させるときには撮影光学系Ｂの光路から退避される。変倍レンズ２４は画角として２０°が選択されたときに撮影光学系Ｂの光路に挿入される。
　【００２８】この眼底カメラの撮影光学系Ｂは、図４、図５に示すように簡略化される。この図４、図５において、図３に示す光学要素と同一構成要素には同一符号が付されている。図４は画角が４５°のときの光路図であり、図５は画角が２０°のときの光路図である。
　【００２９】その図４は、画角４５°で眼底Ｒを撮影するときの主光線を示すもので、その眼底Ｒは対物レンズ２０により空中像３０としていったん結像される。その空中像３０を形成する主光線は開口絞りとして機能する孔空きミラー１９の孔３１の中心３１’を通って、合焦レンズ２２、結像レンズ２３に導かれ、フィールドレンズ２６の手前で再び空中像３２として結像され、色分解光学系１に導かれる。
　【００３０】この際、画面周辺部の像形成に寄与する主光線３３の例えば干渉膜５に対する傾き角と画面中央部の像形成に寄与する主光線３４（撮影光軸１０と一致する。）の干渉膜５に対する傾き角とが異なり、例えばＣＣＤ８の中央に像を形成する光線に対する干渉膜の透過・反射率特性とＣＣＤ８の周辺に像を形成する光線に対する干渉膜の透過・反射率特性とが異なることになりカラーシェーディングが発生することとなる。
　【００３１】色分解光学系１に導かれた光線は干渉膜５、６を通過し、ＣＣＤ７、８、９に導かれる。画角２０°で眼底Ｒを撮影するときには、変倍用レンズ２４が撮影光学系２の光路に挿入される。
　【００３２】なお、その図４、図５において、３５、３５’はそれぞれの光学系の射出瞳である。従って、変倍レンズ２４が光路内に挿入されるか否かによって、射出瞳３５、３５’の位置が変化して、ＣＣＤ８への入射角が変化するので、カラーシェーディングの程度も変化する。
　【００３３】よって、変倍レンズ２４の有無によってメモリ１１５に記憶されている補正係数が適宜選択され、演算制御回路１１４に転送される。
　【００３４】また、合焦レンズ２２が移動した場合にもカラーシェーディングが生じる。
そのため図４、図５に示すように、合焦レンズ２２の位置を検出する位置検出用センサ３６を合焦レンズ２２の近傍に設け、合焦レンズ２２の位置の変化を検出してカラーシェーデングの補正係数を変化させるようにしてもよい。
　【００３５】
　【発明の効果】本発明の眼科撮影装置は、以上説明したように構成したので、簡単な回路構成により簡易にカラーシェーディング補正を行うことができ、撮影条件が異なる場合にも調整しなおす必要がなく取り扱いが容易である。
【図面の簡単な説明】
　【図１】本発明の一実施例の回路構成を示すブロック図である。
　【図２】本発明の一実施例の撮像画像の領域分割の状態を示す図である。
　【図３】本発明の一実施例の光学的構成を示す図である。
　【図４】カラーシェーディング現象を説明するための光路図である。
　【図５】カラーシェーディング現象を説明するための光路図である。
　【図６】３板式色分解光学系を示す図である。
　【符号の説明】
１０１〜１０３、７、８、９　ＣＣＤ
１０７〜１０９　Ａ／Ｄ変換器
１１０〜１１２　補正回路
１１３　画像再生回路
１１４　演算制御回路
１１５　メモリ
１　色分解光学系
５、６　干渉膜
１０　撮影光軸
２６　フィールドレンズ
３３、３３’、３４　主光線